【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
電力増幅器の送信出力の位相を制御する位相ループと、前記電力増幅器の送信出力の振幅を制御する振幅ループとを含んで成り、
前記振幅ループを閉ループ又は開ループのいずれかに切り替える切り替え制御ユニットを備え、
前記切り替え制御ユニットは、前記電力増幅器の大出力時には前記振幅ループを閉ループとし、前記電力増幅器の低出力時には前記振幅ループを開ループとすることを特徴とする送信回路。
【請求項２】
請求項１において、
前記電力増幅器の大出力時は、前記位相ループ及び前記振幅ループからなるポーラループ送信回路を構成し、
前記電力増幅器の低出力時には、前記振幅ループを開ループとし、前記位相ループのみ閉ループに維持することを特徴とする送信回路。
【請求項３】
請求項１において、
前記位相ループは、前記電力増幅器、第一のループフィルタ、リミッタ増幅器、および位相比較器を含んで構成され、
前記振幅ループは、前記電力増幅器、ＡＭ検波回路、振幅比較器及び第二のループフィルタを含む回路として構成され、前記電力増幅器の大出力時には前記振幅ループが閉成されて変調器の出力信号と帰還信号に基づいてＡＭ変調を行ない、前記電力増幅器の低出力時には前記振幅ループが前記ＡＭ検波回路、前記振幅比較器及び前記第二のループフィルタを含まない開ループとし前記変調器の出力信号に基づいてＡＭ変調を行なうことを特徴とする送信回路。
【請求項４】
請求項３において、
前記切り替え制御ユニットは、前記電力増幅器の制御入力側を前記変調器および前記振幅ループの第二のループフィルタのいずれか一方に接続する第一の切り替えスイッチと、前記変調器を前記第一の切り替えスイッチおよび前記振幅比較器のいずれか一方に接続する第二の切り替えスイッチと、前記電力増幅器の出力レベルを与える送信情報に基づいて前記第一の切り替えスイッチ及び前記第二の切り替えスイッチを切り替える切り替え制御回路とを備えていることを特徴とする送信回路。
【請求項５】
送信出力の位相を制御する位相ループと、前記送信出力の振幅を制御する振幅ループとを含んで成り、
前記振幅ループを閉ループ又は開ループのいずれかに切り替える切り替え制御ユニットを備え、
前記切り替え制御ユニットは、前記送信出力が所定の閾値よりも大きい範囲では前記振幅ループを閉ループとし、前記送信出力が前記閾値よりも小さい範囲では前記振幅ループを開ループ制御とすることを特徴とする送信回路。
【請求項６】
請求項５において、
前記所定の閾値は、送信回路の電力増幅器の大出力時と低出力時とを識別するための閾値であり、
前記切り替え制御ユニットは、前記閾値と送信情報に含まれる前記電力増幅器の出力レベルを示す信号とを比較し、前記振幅ループを閉ループ又は開ループのいずれかに切り替えることを特徴とする送信回路。
【請求項７】
請求項６において、
前記送信回路は、ＥＤＧＥ方式の通信規格に対応するものであり、前記送信情報に含まれる前記電力増幅器の出力電力レベルを示すランプ信号を前記出力レベルを示す信号として用いることを特徴とする送信回路。
【請求項８】
請求項６において、
前記電力増幅器の電力制御を、該電力増幅器の電源で行なうように、前記電力増幅器の電源にレギュレータを用いることを特徴とする送信回路。
【請求項９】
請求項６において、
前記電力増幅器の電力制御を、該電力増幅器のゲートバイアスおよびベースバイアスのいずれか一方で行うことを特徴とする送信回路。
【請求項１０】
請求項６において、
前記電力増幅器の大出力時は、前記位相ループ及び前記振幅ループからなるポーラループ送信回路を構成し、
前記電力増幅器の低出力時には、前記振幅ループを開ループとし、前記位相ループのみ閉ループに維持することを特徴とする送信回路。
【請求項１１】
請求項５において、
前記位相ループがオフセットＰＬＬであることを特徴とする送信回路。
【請求項１２】
請求項５において、
前記位相ループ及び前記振幅ループの両ループフィルタと電力増幅器との間にバッファアンプが接続され、該バッファアンプの出力側から前記位相ループ及び前記振幅ループへの帰還信号を取得することを特徴とする送信回路。
【請求項１３】
電力増幅器と、送信情報に基づき前記電力増幅器を制御するための位相制御信号及び振幅制御信号を出力する変調器と、前記位相制御信号により前記電力増幅器の送信出力の位相を制御する位相ループと、前記振幅制御信号に基づき前記電力増幅器の送信出力の振幅を制御する振幅ループとを含む送信回路を備えた移動体通信用送信機であって、
前記位相ループは、前記電力増幅器、第一のループフィルタ、可変増幅器、および位相比較器を含んで構成され、
前記振幅ループは、前記電力増幅器、ＡＭ検波回路、振幅比較器及び第二のループフィルタを含んで構成され、
前記送信情報に基づき前記振幅ループを閉ループ又は開ループのいずれかに切り替える切り替え制御ユニットを備え、
該切り替え制御ユニットは、前記電力増幅器の制御入力側を前記変調器もしくは前記第二のループフィルタのいずれかに接続する第一の切り替えスイッチと、前記変調器を前記第一の切り替えスイッチもしくは前記振幅比較器のいずれかに接続する第二の切り替えスイッチと、前記電力増幅器の出力レベルに基づいて前記第一の切り替えスイッチ及び前記第二の切り替えスイッチを切り替える切り替え制御回路とを備え、
前記切り替え制御ユニットは、前記電力増幅器の大出力時には前記振幅ループを閉ループとし、前記電力増幅器の低出力時には前記振幅ループが前記ＡＭ検波回路、前記振幅比較器及び前記第二のループフィルタを含まない開ループとすることを特徴とする移動体通信用送信機。
【請求項１４】
請求項１３において、
前記位相ループは、第一の切り替えスイッチを介して前記可変増幅器と並列に配置されたステップ増幅器を有し、
前記切り替え制御ユニットは、前記電力増幅器の大出力時には前記可変増幅器を前記位相ループの構成要素とし、前記電力増幅器の低出力時には前記ステップ増幅器を前記位相ループの構成要素とすることを特徴とする移動体通信用送信機。
【請求項１５】
請求項１３において、
前記振幅ループは、前記電力増幅器に設けられたカプラー、第一の可変増幅器、前記振幅比較器、第二の可変増幅器、第一の電流電圧変換器及び前記第二のループフィルタからなる回路と、第二の切り替えスイッチを介して前記第一の可変増幅器及び前記第一の電流電圧変換器に対して並列に配置された第二の可変増幅器及び第二の電流電圧変換器とを有し、
前記切り替え制御ユニットは、前記電力増幅器の大出力時には、前記電力増幅器、前記カプラー、前記第一の可変増幅器、前記振幅比較器、前記第一の電流電圧変換器及び前記第二のループフィルタからなる回路を前記振幅ループの構成要素とし、前記電力増幅器の低出力時には、前記電力増幅器、前記カプラー、第二の可変増幅器、前記振幅比較器、及び前記ループフィルタからなる回路を前記振幅ループの構成要素とすることを特徴とする移動体通信用送信機。
【請求項１６】
請求項１３において、
前記位相ループは、前記電力増幅器に設けられたカプラーと前記位相比較器の間に接続されたリミッタ増幅器と、該リミッタ増幅器の出力をオフセットする可変分周器を有することを特徴とする移動体通信用送信機。
【請求項１７】
請求項１６において、
前記位相ループにデルタシグマ送信機を用いたことを特徴とする移動体通信用送信機。
【請求項１８】
請求項１３において、
前記第一、第二のループフィルタと前記電力増幅器との間にバッファアンプが接続され、該バッファアンプの出力側に設けられた第二のカプラーから前記位相ループ及び前記振幅ループへの帰還信号を取得するように構成され、
前記第一のループフィルタ、前記可変増幅器、及び前記位相比較器と、前記振幅ループの前記ＡＭ検波回路、前記振幅比較器及び前記第二のループフィルタと、前記バッファアンプ及び前記第二のカプラーが、共通のＲＦＩＣ上に設けられていることを特徴とする移動体通信用送信機。
【請求項１９】
請求項１３において、
前記切り替え制御ユニットは、送信データレジスタを備えており、該送信データレジスタは、８ＰＳＫ、ＧＭＳＫ等の変調方式の情報を保持する変調方式識別レジスタ、前記電力増幅器の電力レベルに相当するランプ信号を保持するランプ信号レジスタ、及び送信データを保持する送信データレジスタを有していることを特徴とする移動体通信用送信機。
【請求項２０】
請求項１９において、
前記切り替え制御ユニットは、切り替え制御回路を備えており、
前記切り替え制御回路は、前記送信データレジスタから読み出された前記電力増幅器の出力に対応するランプ信号と所定の閾値とを、比較器において比較し、この比較結果を基に前記切り替えスイッチを切り替えて、オープン制御または閉ループ制御を行なうことを特徴とする移動体通信用送信機。